(57)【特許請求の範囲】
【請求項１】
錠ケース４の案内部に案内されかつ閉戸時ストライクＹに当りながら後退動する進退動部材２１と、錠ケースに鎌片用支軸３２を介して軸支されかつ進退動部材２１が後退すると動力変換機構を介して先端部３４がストライクＹと掛合する方向へと回転する鎌片３０と、錠ケースに支軸４５を介して傾倒可能に設けられていると共に復帰バネ４４に上下動可能に支持されかつ閉戸した仮施錠時に鎌片３０の係合歯３６に係合して鎌片の逆行（戻り）を阻止する係合爪４２を有する可動部材４０と、可動部材の後方に配設され、引戸１の跳ね返り現象により前記鎌片３０に加わった引張り荷重を該可動部材４０の傾倒を介して吸収するショック吸収ばね部材５０とを備える引戸錠の安全機構。
【請求項２】
請求項１に於いて、ショック吸収ばね部材５０は、可動部材４０の後壁４８と圧接するように錠ケース４の案内部９に組込まれたバネ収納可動箱５１と、このバネ収納可動箱５１に収納され、かつ、可動部材に対する衝撃力を緩和するばね５２と、このばね５２の外端部を支持するように錠ケース４に取付けられたバネ支持板５３とから成ることを特徴とする引戸錠の安全機構。
【請求項３】
請求項１に於いて、可動部材４０は、錠ケース４の一側壁４ｃと対向すると共に上端部に係合爪４２を有する垂直側壁４１と、この垂直側壁４１の下端部に連設する復帰バネ４４受け用水平壁４３と、ショック吸収ばね部材５０が圧接すると共に、仮施錠部材用切欠部４９を有する垂直後壁４８とから成り、前記垂直側壁４１の下部には、錠ケース４に横設軸架された可動部材用横支軸４５が入り込む垂直案内長孔４６が形成されていることを特徴とする引戸錠の安全機構。
【発明の詳細な説明】
【０００１】
【発明の属する技術分野】
本発明は、引戸錠の安全機構に関する。
【０００２】
【従来の技術】
引戸を戸枠に対して勢い良く閉めた時には、「ドーン」と言う音と共に、跳ね返り現象が生じる。この時引戸は普通一般に、数ミリ程度開く。ところで、引戸錠には色々なタイプのものが存在するが、例えば閉戸時に、ストライクの受板に当たりながらトリガー機能を有する進退動部材が後退すると、この進退動部材２１の後退動に対応し、ラックやピニオン等の動力変換機構を介して鎌片が回転進出する一例がある。このタイプの引戸錠は、鎌片の先端部がストライクと掛合状態になると、仮施錠部材が同時に作用する。したがって、引戸の跳ね返り現象を考慮し、トリガー、仮施錠部材等に障害を与えないように鎌片にかかったショックを和らげる機構（安全機構）を錠ケースなどに設けるのが望ましい。
【０００３】
【発明が解決しようとする課題】
本発明は、閉戸時、トリガー機能を有する進退動部材に連動して鎌片が掛合状態になる際に、しばしば引戸の跳ね返り現象が発生するという日常経験に鑑み、第１の目的は、この種の引戸錠に安全機構を設け、トリガー、仮施錠部材等に障害を与えないようにすること。第２の目的は、各構成部材を合理的に組合わせ、閉戸時、鎌片に加わる引張り荷重を十分に吸収することができること。第３の目的は、製作、組合わせなどが容易であること。
【０００４】
【課題を解決するための手段】
本発明の引戸錠の安全機構は、錠ケース４の案内部に案内されかつ閉戸時ストライクＹに当りながら後退動する進退動部材２１と、錠ケースに鎌片用支軸３２を介して軸支されかつ進退動部材２１が後退すると動力変換機構を介して先端部３４がストライクＹと掛合する方向へと回転する鎌片３０と、錠ケースに支軸４５を介して傾倒可能に設けられていると共に復帰バネ４４に上下動可能に支持されかつ閉戸した仮施錠時に鎌片３０の係合歯３６に係合して鎌片の逆行（戻り）を阻止する係合爪４２を有する可動部材４０と、可動部材の後方に配設され、引戸１の跳ね返り現象により前記鎌片３０に加わった引張り荷重を該可動部材４０の傾倒を介して吸収するショック吸収ばね部材５０とを備えることを特徴とする。
【０００５】
【発明の実施の形態】
図１乃至図７により本発明の実施形態に基づく一実施例を構成部材に区分けして説明する。
【０００６】
（１）発明の実施の環境
まず発明の実施の環境について説明する。Ｘは引戸錠で、この引戸錠Ｘは引戸１に取り付けられている。一方、Ｙは戸枠２に取り付けられたストライクで、このストライクＹは受板３を有する。次に引戸錠Ｘを構成する錠ケース、ストライクとの関係で進退動するトリガー、トリガーの進退動によって回動する鎌片、鎌片の逆行荷重に対する安全機構、鎌片に対する仮施錠部材について説明する。
【０００７】
（２）錠ケース等
４は引戸１の縦框に内装された嬢ケースである。該嬢ケース４も引戸嬢Ｘの一部を成す。５は錠ケース４の開口部側に固定されたフロントである。このフロント５は、普通一般に嬢ケース４の蓋板６に固定されている。
【０００８】
ここで図２を参照にして錠ケース４に形成された軸孔、案内部等について説明する。７は水平案内長孔、水平切欠溝などのトリガー用案内部、８は鎌片用軸孔、９は水平案内長孔、水平切欠溝などのバネ収納可動箱用案内部、１０はバネ支持板用取付け孔、１１は可動部材の支軸用軸孔、１２は駆動杆の軸用軸孔、１３は従動杆の軸用軸孔、１４は操作片用の矩形状窓である。そして、フロント５及び蓋板６には、トリガー用の案内窓１５及び鎌片用の出入り窓１６がそれぞれ形成されている。なお、４ａは下壁、４ｂは後壁、４ｃは一側壁であり、また案内部、軸孔、取付け孔などは対向する壁にそれぞれ形成されている。
【０００９】
（３）進退動部材：トリガー
２１は錠ケース４内に摺動自在に装着された進退動部材である。この進退動部材２１は、トリガー機能を有する水平突出杆部２１ａと、この水平突出杆部２１の後端部に段差状に形成された、或いは一体的に設けられた係合杆部２１ｂとから成る。
進退動部材２１の水平突出杆部２１ａは、閉戸時、ストライクＹの受板３に当接する。進退動部材２１の後端部に相当する係合杆部２１ｂは、係合突起２２を介してトリガー用案内部７に係合している。水平係合杆部２１ｂにはバネ用支持穴２３が形成され、該支持穴２３には付勢バネとしてのトリガーバネ２４の一端部が組込まれている。水平突出杆部２１ａ下部側壁には、動力変換機構の一部（本実施例ではラック）２５が形成されている。
【００１０】
（４）トリガーバネ
進退動部材２１は、錠ケース４の水平案内長孔７並びにトリガー用案内窓１５を介して所定の範囲（ストローク）にて水平動可能である。前述したように、進退動部材２１のバネ用支持穴２３にはトリガーバネ２４が組込まれるので、該バネ２４のバネ力により、進退動部材（水平突出杆部２１ａ）は、その先端部が錠ケース４から常時突出するように付勢されている。トリガーバネ２４は、引戸１の閉戸時に、水平突出杆部２１ａの先端部がストライクＹの受板３の前面に突き当たると収縮し始める。
【００１１】
（５）施錠対象：鎌片
３０は鎌片である。鎌片３０は、基部に動力変換機構の一部（ピニオン）３１を備えると共に、錠ケース４内に鎌片用支軸３２を介して軸支され、かつ、進退動部材２１の後退動に連動してストライクＹと掛合する方何へ回転する。
【００１２】
しかして、鎌片３０は、ピニオン３１を有する基部３３と、ストライクＹの受板３と係合する鉤状先端部３４と、幅広の後端部３５とから成り、前記幅広の後端部３５の適宜部位には、本施錠時、後述する可動部材の係合爪によって係止される連続的な係合歯３６が形成されている。
【００１３】
（６）安全機構：セフティーリリース
次に本発明の主要部である錠ケースに組込まれた安全機構Ｚについて説明する。
ここで「安全機構」とは、閉戸時、進退動部材２１の水平突出杆部２１ａがストライクＹの受板３に当たり後退すると、これにより鎌片３０の先端部３４が回転進出してストライクＹと掛合状態になり、この時錠ケース４に内装された可動部材４０の係合爪が鎌片３０の係合歯３６に係合して鎌片の逆行（戻り）を阻止する機能を果たすが、例えば引戸１の跳ね返り現象により鎌片３０に引張り荷重が作用した時に、これによりトリガー、仮施錠部材等に障害を与えないように鎌片３０にかかったショックを和らげる機構を言う。
【００１４】
したがって、鎌片３０との関係で、可動部材４０及び該可動部材を押圧するショック吸収ばね部材５０が主な構成部材である。そこで、これらの部材について説明する。
【００１５】
（７）可動部材
可動部材４０は、本実施例では、ケースを適宜切断ないし切欠した形態を成し、鎌片３０の下方に傾倒可能並びに上下動可能に設けられている。そこで、まず図３を参照にして可動部材４０について説明する。４１はケース４の一側壁４ｃと対向する垂直側壁である。４２はこの垂直側壁４１の上端部に突出形成された係合爪で、この係合爪４２は鎌片３０の係合歯３６と係脱可能である。４３は垂直側壁４１の下端部に連設するバネ受用水平壁（復帰バネ４４受け用の水平壁）、この水平壁４３と錠ケース４の下壁４ａには、可動部材４０を鎌片３０の係合方向へと付勢する復帰バネ４４が介装されている。
【００１６】
しかして、前記垂直側壁４１の下部には、錠ケース４の軸孔１１に設けられた可動部材用横支軸４５が入り込む垂直案内長孔４６が形成されている。この可動部材用横支軸４５は、錠ケース４に横設軸架されている。また垂直側壁４１の中央部寄りの部位には、水平案内長孔４７が形成されている。さらに、垂直側壁４１及び水平壁４３にそれぞれ交差連設する垂直後壁４８の中央部寄りの部位には、後述する従動杆用切欠部４９が形成されている。なお、可動部材４０は端面Ｌ型に形成されているが、この形態に限定するものではなく、ケース状に形成しても良い。
【００１７】
（８）ショック吸収ばね部材
５０は、可動部材４０の垂直後壁４８の後方上部に、該垂直後壁に押圧或いは圧接可能に配設されたショック吸収ばね部材である。このショック吸収ばね部材５０は、図３で示すように端面コ字型，後端開口の箱型などのバネ収納可動箱５１と、このバネ収納可動箱５１に収納される皿バネ、コイルバネ等の衝撃を緩和するばね５２と、このばね５２の外端部を支持する十字型状のバネ支持板５３とから成り、前記バネ収納可動箱５１は、バネ収納可動箱用案内部９と係合する複数個のスライド突起５４を有している。しかして、これらの構成部材５１，５３は、錠ケース４のバネ収納可動箱用案内部９やバネ支持板用取付け孔１０にそれぞれ適宜取付けられる。
【００１８】
（９）仮施錠部材
最後に、本発明の直接的な特定要件ではないが、説明の便宜上、鎌片３０や可動部材に関係する仮施錠部材について説明する。仮施錠部材６０は、図示しない操作片に設けられた上下一対のレバー６１と、これらのレバー６１の一方が、例えば図７で示すように解錠方向に移動した際に、該レバー６１に押されて所要量回転する棒状の駆動杆６２と、この駆動杆６２に連結され、かつ、該駆動杆とは反対方向へと所要量回転するＬ型の従動杆６３とを備えている。なお、錠ケース４に形成した軸孔１２，１３には、支軸が取付けられるが、６５は棒状駆動杆６２の中心部を軸支する第１支軸、６６はＬ型従動杆６３の中心部を軸支する第２支軸である。また、６７は駆動杆６２の上端部と従動杆６３の下端部とを連結する連結軸、６８は従動杆６３の他端部に突設されかつ可動部材４０の水平案内長孔４７に入り込んだ係合軸である。
【００１９】
上記構成に於いて、引戸１を閉めた時における安全機構Ｚについて説明する。「安全機構」の意味合いについては前述した通りでなので、ここでは重複を避けて説明する。引戸１がストライクＹに勢い良く衝突すると、図６で示すように掛合状態になった鎌片３０に引張り荷重がかかる。この時可動部材４０の係合爪４２が鎌片３０の係合歯３６に係合して鎌片３０の戻りを阻止する機能を果たす。係合爪４２がこの阻止機能を果たしている状態に於いて、鎌片３０が前記引張り荷重により若干逆行すると、図５で示すように、可動部材４０は、横支軸４５を支点に矢印で示すように回転傾倒する。
【００２０】
したがって、ショック吸収ばね部材５０は、可動部材４０の垂直後壁４８に押されることになるから、そのバネ収納可動箱５１は、ばね５２のバネ力に抗して錠ケース４に案内される。この時ばね５２は、可動部材４０にかかった分力（鎌片と可動部材にかかった力）を吸収する。したがって、引戸１の跳ね返り現象により鎌片３０に引張り荷重が作用した時に、ショック吸収ばね部材５０は、トリガー、仮施錠部材等に障害を与えないように鎌片３０にかかったショックを和らげる。
【００２１】
【実施例】
ショック吸収ばね部材５０は、本実施例では、可動部材４０の後壁４８と圧接するように錠ケース４の案内部９に組込まれたバネ収納可動箱５１と、このバネ収納可動箱５１に収納され、かつ、可動部材に対する衝撃力を緩和する皿ばね５２と、この皿ばね５２の外端部を支持するように錠ケース４に取付けられたバネ支持板５３とから成るが、バネ収納可動箱５１の形態並びに皿ばね５２は、任意に設計変更可能な事項である。また鎌片３０の後端部３５にラチエット歯の一部と言える係合歯３６を形成したが、該係合歯３６は係合部の一例に過ぎないので、請求範囲第１項にて「係合歯３６」なる用語を用いても、出願人は積極的にこの一例に限定する趣旨ではない。係合歯に代えて係合突起にしても均等事項である。また、可動部材４０の係合爪４２は、一つであるが、例えば２つ形成しても良い。
【００２２】
【発明の効果】
以上の説明から明らかなように、本発明にあっては、次に列挙するような効果がある。
（１）トリガー、仮施錠部材等に障害を与えないようにすることができる。したがって、故障率が少なく、耐久性に富む。
（２）ショック吸収ばね部材は、閉戸時、鎌片に加わる引張り荷重を、可動部材の傾倒を介して十分に吸収することができる。
（３）構成する部品点数を少なく、かつ、各構成部材を合理的に組合わせたので、製作、組合わせなどが容易である。
【図面の簡単な説明】
図１乃至図７は本発明の一実施例を示す各説明図。
【図１】発明の実施形態の一例を示す概略説明図（引戸を開いた解錠状態）。
【図２】錠ケースの概略縦断面説明図。
【図３】主要部材の分解説明図。
【図４】閉戸時寸前の概略説明図。
【図５】安全装置が作用する場合の概略説明図。
【図６】仮施錠状態の一例を示す概略説明図。
【図７】主要部材と仮施錠部材との組合せの一例を示す説明図。
【符号の説明】
Ｘ…引戸錠、Ｙ…ストライク、１…引戸、２…戸枠、３…受板、４…錠ケース、５…フロント、６…蓋板、７，８，１１，１２，１３…軸孔、１５…トリガー用案内窓、１６…鎌片用の出入り窓、２１…進退動部材、２３…バネ支持穴、２４…トリガーバネ、２５…ラック、３０…鎌片、３１…ピニオン、３２…鎌片用支軸、３３…基部、３４…鉤状先端部、３５…後端部、３６…係合歯、４０…可動部材、４１…垂直側壁、４２…係合爪、４３…水平壁、４４…復帰バネ、４５…横支軸、４６…垂直案内長孔、４７…水平案内長孔、４８…垂直後壁、４９…従動杆用切欠部、５０…ショック吸収ばね部材、５１…バネ収納可動箱、５２…ばね、５３…バネ支持板、６０…仮施錠部材、６１…レバー、６２…駆動杆、６３…従動杆、６５…第１支軸、６６…第２支軸、６７…連結軸、６８…係合軸。
【図１】
0004108256.tif 000002
【図２】
0004108256.tif 000003
【図３】
0004108256.tif 000004
【図４】
0004108256.tif 000005
【図５】
0004108256.tif 000006
【図６】
0004108256.tif 000007
【図７】
0004108256.tif 000008